(57)【要約】【課題】室内等の照度の最大値を、その最小値の１．７倍以上等としたり、カーテンのヒダ間隔を任意に保持することで、「方向性を持たせた光の取込み」や、「視聴者側の明るさ」と「画像等の視やすさ」の両立などを実現する。【解決手段】空間Ｋを隔てるカーテン１であって、カーテン１により隔てられた空間Ｋの一方側Ｋａから入射した光Ｈが、カーテン１を透過して、隔てられた空間Ｋの他方側Ｋｂへ進入することで、他方側の空間内照度Ｓｂの最大値ＳｂMAX を、他方側の空間内照度Ｓｂの最小値Ｓｂmin の１．７倍以上とする。又、所定の可視光透過率Ｔを持つ遮光部２と、遮光部２より可視光透過率Ｔが大きい透光部３を有し、透光部３の可視光透過率Ｔは、遮光部２の可視光透過率Ｔの３倍以上であったり、長手方向がカーテン１の丈方向Ｊ’に略沿った遮光帯部２’と透光帯部３’は、カーテン１の幅Ｗ’方向に沿って交互に繰り返し配設されていても良い。【選択図】図１
2018110749.tif 000002
【特許請求の範囲】
【請求項１】
空間を隔てるカーテンであって、
当該カーテンにより隔てられた空間の一方側から入射した光が、当該カーテンを透過して、前記隔てられた空間の他方側へ進入することで、
この進入した光による他方側の空間内照度の最大値が、前記進入した光による他方側の空間内照度の最小値の１．７倍以上であることを特徴とするカーテン。
【請求項２】
空間を隔てるカーテンであって、
所定の可視光透過率を持つ遮光部と、この遮光部より可視光透過率が大きい透光部を有し、
前記透光部の可視光透過率は、前記遮光部の可視光透過率の３倍以上であることを特徴とするカーテン。
【請求項３】
前記遮光部と透光部は、帯状で且つそれぞれの長手方向が当該カーテンの丈方向に略沿った遮光帯部と透光帯部であり、
これら遮光帯部と透光帯部は、当該カーテンの幅方向に沿って交互に繰り返し配設されていることを特徴とする請求項２に記載のカーテン。
【請求項４】
空間を隔てるカーテンであって、
所定の可視光透過率を持つ遮光部と、この遮光部より可視光透過率が大きい透光部を有し、
前記遮光部と透光部は、帯状で且つそれぞれの長手方向が当該カーテンの丈方向に略沿った遮光帯部と透光帯部であり、
これら遮光帯部と透光帯部のうち少なくとも一方は、当該カーテンの幅方向に沿って繰り返し形成された複数のヒダにおける山と谷の間で且つこれら山及び谷以外の位置に配設されていると共に、
前記遮光帯部と透光帯部は、当該カーテンの幅方向に沿って交互に配設されていることを特徴とするカーテン。
【請求項５】
当該カーテンに形成された複数のヒダにおける間隔を任意に保持する保持具を有していることを特徴とする請求項１〜４の何れか１項に記載のカーテン。
【請求項６】
当該カーテンは略矩形状であって、
この略矩形状のカーテンにおける４つの端部のうち少なくとも１つの端部に、この端部を折る方向を切替可能な折替部を有している特徴とする請求項１〜５の何れか１項に記載のカーテン。
【請求項７】
当該カーテンに隔てられた空間の一方側に光が入射する面とは反対側に位置する当該カーテンの面に、ＪＩＳ−Ｚ−８７８１−４：２０１３によるＬ* ａ* ｂ* 表色系に準じるＬ* 値が５８以下である部分を有していることを特徴とする請求項１〜６の何れか１項に記載のカーテン。
【請求項８】
カーテンに形成された複数のヒダにおける間隔を任意に保持することを特徴とする保持具。
【発明の詳細な説明】
【技術分野】
【０００１】
本発明は、空間を隔てるカーテン、及び、カーテンの保持具に関する。
【背景技術】
【０００２】
従来、すだれ状カーテンが知られている（特許文献１）。
このすだれ状カーテンは、可撓性あるシート状材料により形成した中空の筒状部の多数が１〜３層で上下方向に展張・折り畳み自在に連接され、各筒状部がその軸線方向には単一の筒状部の折り畳み状態における開口部横幅の０．５〜３倍の長さを有するものとして形成されたカーテン材を備え、上記カーテン材の多数の各一端を、それらの筒状部の軸線が水平方向で該多数のカーテン材を並列させる面に直交する方向を向くようにして、上枠に並列状態で密に配列させて固定し、上記上枠に上端を固定した各カーテン材の下端を、操作機構によって昇降可能にした下枠に固定している。
【先行技術文献】
【特許文献】
【０００３】
【特許文献１】特開２０１１−１０４１６８号公報
【発明の概要】
【発明が解決しようとする課題】
【０００４】
しかしながら、特許文献１に記載されたすだれ状カーテンは、光が当該カーテンを透過して窓等から室内へ進入した際に、全ての筒状部が同一形状のため、室内へは光が一様に進入することとなる（進入する（取り込まれる）光に方向性はない）。
従って、例えば、室内にテレビやパソコン等の画面や、プロジェクタにて映写するスクリーン等があった場合、当該カーテンによって画面やスクリーン近くを暗くすれば、画像や映像を視やすくなるものの、視聴者の手元等が暗くなり過ぎる虞があり、逆に、視聴者の手元を明るくすれば、画面などの近くが明るくなり過ぎ、画像や映像を視難くなる問題が生じる。
その他、室内へ光が一様に入射する特許文献１のすだれ状カーテンでは、室内等で光を当てたくない箇所（耐光性が低い内装部材など）にも、他の箇所と同様に光が当たるため、耐光性が低い内装部材などの劣化が早まる問題も生じる。
【０００５】
そこで、本発明は、室内等の照度の最大値を、その最小値の１．７倍以上としたり、カーテンにおける透光部の可視光透過率を、遮光部の可視光透過率の３倍以上等としたり、又、カーテンのヒダ間隔を任意に保持することで、「方向性を持たせた光の取込み」、そして、「視聴者側の明るさ」と「画像等の視やすさ」の両立や、「内装部材等の劣化抑制」などを同時に実現できるカーテンや、カーテンの保持具を提供することを目的とする。
【課題を解決するための手段】
【０００６】
本発明に係るカーテン１は、空間を隔てるカーテンであって、当該カーテンにより隔てられた空間の一方側から入射した光が、当該カーテンを透過して、前記隔てられた空間の他方側へ進入することで、この進入した光による他方側の空間内照度の最大値が、前記進入した光による他方側の空間内照度の最小値の１．７倍以上であることを第１の特徴とする。
尚、本発明における「進入した光による他方側の空間内照度の最大値が、前記進入した光による他方側の空間内照度の最小値の１．７倍以上である」とは、空間の他方側における全ての位置で測定された照度のうち、最も大きい照度の値が、最も小さい照度の値の１．７倍以上であることを意味しても良いが、前記進入した光によって、当該カーテン中央の正面位置を中心とした対象位置における２つ１組の照度の値のうち、大きい方の照度の値（つまり、２つの値の中では、最も大きい照度の値）が、小さい方の照度の値（つまり、２つの値の中では、最も小さい照度の値）の１．７倍以上となる対象位置を有していることを意味しても良い。
【０００７】
本発明に係るカーテン１の第２の特徴は、空間を隔てるカーテンであって、所定の可視光透過率を持つ遮光部と、この遮光部より可視光透過率が大きい透光部を有し、前記透光部の可視光透過率は、前記遮光部の可視光透過率の３倍以上である点にある。
【０００８】
本発明に係るカーテン１の第３の特徴は、上記第２の特徴に加えて、前記遮光部と透光部は、帯状で且つそれぞれの長手方向が当該カーテンの丈方向に略沿った遮光帯部と透光帯部であり、これら遮光帯部と透光帯部は、当該カーテンの幅方向に沿って交互に繰り返し配設されている点にある。
【０００９】
本発明に係るカーテン１の第４の特徴は、空間を隔てるカーテンであって、所定の可視光透過率を持つ遮光部と、この遮光部より可視光透過率が大きい透光部を有し、前記遮光部と透光部は、帯状で且つそれぞれの長手方向が当該カーテンの丈方向に略沿った遮光帯部と透光帯部であり、これら遮光帯部と透光帯部のうち少なくとも一方は、当該カーテンの幅方向に沿って繰り返し形成された複数のヒダにおける山と谷の間で且つこれら山及び谷以外の位置に配設されていると共に、前記遮光帯部と透光帯部は、当該カーテンの幅方向に沿って交互に配設されている点にある。
尚、本発明における「遮光帯部と透光帯部のうち少なくとも一方は、当該カーテンの幅方向に沿って繰り返し形成された複数のヒダにおける山と谷の間で且つこれら山及び谷以外の位置に配設されている」とは、「遮光帯部のみが、前記複数のヒダにおける山と谷の間で且つこれら山及び谷以外の位置に配設されている」場合と、「透光帯部のみが、前記複数のヒダにおける山と谷の間で且つこれら山及び谷以外の位置に配設されている」場合と、「遮光帯部と透光帯部の両方が、前記複数のヒダにおける山と谷の間で且つこれら山及び谷以外の位置に配設されている」場合を含む。
更に、「遮光帯部と透光帯部の両方が、前記複数のヒダにおける山と谷の間で且つこれら山及び谷以外の位置に配設されている」場合とは、当該カーテンが、遮光帯部と透光帯部以外の部分（例えば、後述の切替部（屈曲部１２）など）を有し、この切替部１２等が前記複数のヒダにおける山及び谷の位置に配設されている場合を意味する。
【００１０】
本発明に係るカーテン１の第５の特徴は、上記第１〜３の特徴に加えて、当該カーテンに形成された複数のヒダにおける間隔を任意に保持する保持具を有している点にある。
【００１１】
本発明に係るカーテン１の第６の特徴は、上記第１〜５の特徴に加えて、当該カーテンは略矩形状であって、この略矩形状のカーテンにおける４つの端部のうち少なくとも１つの端部に、この端部を折る方向を切替可能な折替部を有している点にある。
【００１２】
本発明に係るカーテン１の第７の特徴は、上記第１〜６の特徴に加えて、当該カーテンに隔てられた空間の一方側に光が入射する面とは反対側に位置する当該カーテンの面に、ＪＩＳ−Ｚ−８７８１−４：２０１３によるＬ* ａ* ｂ* 表色系に準じるＬ* 値が５８以下である部分を有している点にある。
【００１３】
これらの特徴により、光Ｈが、カーテン１を透過して、隔てられた空間Ｋの他方側Ｋｂへ進入することで、進入した光Ｈによる他方側の空間内照度Ｓｂの最大値ＳｂMAX を、他方側の空間内照度の最小値Ｓｂmin の１．７倍以上とすることによって、特許文献１のすだれ状カーテンとは異なり、室内などの他方側の空間Ｋｂへは光Ｈが一様に進入することはなく、他方側の空間内照度Ｓｂにおける最大値ＳｂMAX ・最小値Ｓｂmin となる位置の調整により、室内などの他方側の空間Ｋｂへ、方向性を持たせて光Ｈを取り込むことが可能となる（「方向性を持たせた光の取込み」）。
従って、例えば、室内などの他方側の空間Ｋｂにテレビ等の画面やスクリーンなどがあった場合でも、他方側の空間内照度Ｓｂにおける最大値ＳｂMAX ・最小値Ｓｂmin を調整すれば、視聴者側の明るさを確保しつつ、画面等の近くを暗くして画像等を視やすく出来る（「視聴者側の明るさ」と「画像等の視やすさ」の両立）。
更に加えて、室内等の他方側の空間Ｋｂ内で、光を当てたくない箇所（耐光性が低い内装部材など）があったとしても、その内装部材などの位置に応じて、他方側の空間内照度Ｓｂにおける最大値ＳｂMAX ・最小値Ｓｂmin を調整して、耐光性が低い内装部材などの劣化を低減できる（「内装部材などの劣化抑制」）。
【００１４】
又、透光部３の可視光透過率Ｔを、遮光部２の可視光透過率Ｔの３倍以上とすることによっても、室内などの他方側の空間Ｋｂへは光Ｈが一様に入射することがなくなり、遮光部２や透光部３の位置を調整すれば、「方向性を持たせた光の取込み」を実現できる。
これに加えて、例えば、室内などの他方側の空間Ｋｂにテレビ等の画面やスクリーンなどがあった場合でも「視聴者側の明るさ」と「画像等の視やすさ」の両立でき、更には、室内等の他方側の空間Ｋｂ内に、耐光性が低い内装部材などがあったとしても、「内装部材などの劣化抑制」を実現できる。
【００１５】
更に、長手方向がカーテン１の丈方向Ｊ’に略沿った遮光帯部２’と透光帯部３’を、カーテン１の幅方向Ｗ’に沿って交互に繰り返し配設することによって、カーテン１の幅方向Ｗ’に沿って複数のヒダ４や凹凸が形成されていた場合、室内等の他方側の空間Ｋｂ内に、複数のヒダ４等と、遮光部２及び透光部３の位置を調整すれば、「方向性を持たせた光の取込み」や、「視聴者側の明るさ」と「画像等の視やすさ」の両立、「内装部材などの劣化抑制」を実現できる。
【００１６】
そして、遮光帯部２’と透光帯部３’のうち少なくとも一方を、複数のヒダ４における山４ａと谷４ｂの間で且つこれら山４ａ及び谷４ｂ以外の位置に配設する共に、それら遮光帯部２と透光帯部３を交互に繰り返し配設することによって、室内などの他方側の空間Ｋｂへ入射する光Ｈは、遮光帯部２’を配設したヒダ４の山４ａ・谷４ｂ間の部分に遮られる一方で、透光帯部３’を配設したヒダ４の山４ａ・谷４ｂ間の部分越しに室内等へ進入できるため、「方向性を持たせた光の取込み」をより実現し易くなる。
これに加えて、例えば、室内などの他方側の空間Ｋｂ内において、テレビ等の画面やスクリーンなどを置く場合でも、画面等を置いた側を暗くし、これら画面などから少し離れて正対した視聴者側を明るくすることが可能となり、「視聴者側の明るさ」と「画像等の視やすさ」の両立の実現は容易になる。
更に加えて、室内等の他方側の空間Ｋｂ内において暗くなる側に、耐光性が低い内装部材などを置くことで、「内装部材などの劣化抑制」も容易に図れる。
尚、本発明における「ヒダ４の山４ａ」とは、当該カーテン１において他方側の空間Ｋｂ（例えば、カーテン１の室内側）へ最も突出した箇所（頂点）を意味し、本発明における「ヒダ４の谷４ｂ」とは、当該カーテン１において他方側の空間Ｋｂ（例えば、カーテン１の室内側）から最も遠ざかった箇所（谷底）を意味する。
一方、本発明における「ヒダ４の山部４Ａ」とは、当該カーテン１において他方側の空間Ｋｂへ突出し且つ上述の「山４ａ」を含む部分を意味し、本発明における「ヒダ４の谷部４Ｂ」とは、当該カーテン１において他方側の空間Ｋｂから遠ざかり且つ上述の「谷４ｂ」を含む部分を意味する。
【００１７】
その他、カーテン１の幅方向Ｗ’に沿って複数のヒダ４の間隔Ｄを任意に保持する保持具２０を有することによって、複数のヒダ４における遮光部２及び透光部３の位置を容易に調整でき、カーテン１を用いる窓や部屋などの空間Ｋに応じて、意図した通りの「方向性を持たせた光の取込み」や、「視聴者側の明るさ」と「画像等の視やすさ」の両立、更なる「内装部材等の劣化抑制」などを同時に実現できる。
【００１８】
又、複数のヒダ４が形成された略矩形状のカーテン１の端部に、折り重ねた状態を保持可能な折替部５を有することによって、窓等に用いた際の当該カーテン１の端部において、複数のヒダ４における山４ａが、室内等の他方側の空間Ｋｂ内（カーテン１の表面１ａ側）を向いたとしても、折替部５を、室外や窓等の一方側の空間Ｋａ（カーテン１の裏面１ｂ側）へ向けて折って重ねることで、カーテン１の端部におけるヒダ４の山４ａを谷４ｂに反転させることが可能となり、カーテン１としての外観・見栄えが向上する。
よって、例えば、室内等の他方側の空間Ｋｂ内で模様替え等のために、テレビやパソコン等の画面やスクリーンの置き場所が変わっても、カーテン１の端部におけるヒダ４の山４ａを谷４ｂに反転させて、同じカーテン１を用いることが出来る。
【００１９】
そして、カーテン１の空間Ｋの一方側Ｋａとは反対側（つまり、他方側Ｋｂ）に位置した面（例えば、カーテン１の室内側の表面）１ａにおけるＬ* 値が５８以下である部分を有することによって、室内等の他方側の空間Ｋｂ内への方向性を持たせた光の取込みだけでなく、カーテン１の室内側等の面１ａの色相を問わず、「画像等の視やすさ」を確保できる。
【００２０】
本発明に係るカーテンの保持具２０は、カーテンに形成された複数のヒダにおける間隔を任意に保持することを第１の特徴とする。
【００２１】
カーテン１に対して、保持具２０で複数のヒダ４における間隔を任意に保持することによって、何れの構成のカーテン１に対しても、カーテン１を用いる窓や部屋などの空間に応じて、意図した通りの「方向性を持たせた光の取込み」などを実現できる。
【発明の効果】
【００２２】
本発明に係るカーテンや、カーテンの保持具によると、室内等の照度の最大値を、その最小値の１．７倍以上としたり、カーテンにおける透光部の可視光透過率を、遮光部の可視光透過率の３倍以上等としたり、又、カーテンのヒダ間隔を任意に保持することで、「方向性を持たせた光の取込み」や、「視聴者側の明るさ」と「画像等の視やすさ」の両立などを同時に実現できる。
【図面の簡単な説明】
【００２３】
【図１】本発明に係るカーテンを示す概要斜視図である。
【図２】カーテンと、一方側・他方側の空間等を示す概要平断面図であって、（ａ）はヒダの断面視形状がアコーディオン状であるカーテンを示し、（ｂ）はヒダの断面視形状がドレープ状であるカーテンを示し、（ｃ）はヒダを有さないカーテンを示す。
【図３】カーテンにおける保持具の例を示す概要斜視図である。
【図４】カーテンにおける一方側・他方側の空間内照度の例を示す概要平面図である。
【図５】カーテンにおける他方側の空間内照度の最大値・最小値の例と、試験１における測定システム（光源とカーテンと空間の他方側）を示す概要平面図である。
【図６】カーテン（カーテン生地）の実施例Ａを示す概要図であり、（ａ）は編組織を示し、（ｂ）は糸配列リピートを示し、（ｃ）は糸針列を組織図で示す。
【図７】カーテン（カーテン生地）の実施例Ａを示す図面代用写真である。
【図８】（ａ）は試験２におけるカーテンと空間の他方側を示す概要平面図であり、（ｂ）は試験２の結果を示すグラフである。
【図９】試験２の結果を示す図面代用写真であり、（ａ）は比較例８と１〜６のカーテンの空間の他方側に位置した面を示し、（ｂ）は比較例８と１〜６のカーテンを用いた場合のテレビ等の画面を示す。
【図１０】（ａ）は試験３におけるカーテンと空間の他方側を示す概要平面図であり、（ｂ）は試験３の結果を示すグラフである。
【図１１】試験３の結果を示す図面代用写真であり、実施例２、比較例０、２、７、８のカーテンを用いた場合及びカーテンを用いなかった場合のテレビ等の画面を示す。
【図１２】（ａ）は試験４におけるカーテンと空間の他方側を示す概要平面図であり、（ｂ）は試験４の結果を示すグラフである。
【図１３】試験４の結果を示す図面代用写真であり、（ａ）は実施例２、比較例０、８、９のカーテンの空間の他方側に位置した面を示し、（ｂ）は実施例２、９のカーテンを正面から見た場合を示し、（ｃ）は実施例２、９のカーテンを画面位置から見た場合を示し、（ｄ）は実施例２、９のカーテンを視聴者位置から見た場合を示す。
【図１４】カーテンの変形例における折替部を例示する概要平断面図であり、（ａ）は端部が手前に突出している状態を示し、（ｂ）は折替部を奥側へ折った状態を示す。
【発明を実施するための形態】
【００２４】
＜カーテン１の全体構成＞
以下、本発明の実施形態を、図面を参照して説明する。
図１〜１３には、本発明に係るカーテン１が示されている。
【００２５】
カーテン１は、空間Ｋを隔てるものであって、シート状のカーテン生地１０を有すると共に、遮光部２や透光部３、ヒダ４、折替部５、保持具２０を有していても良い。
カーテン１は、空間Ｋを隔てるのであれば、壁面や天井から吊り下げられたり、衝立状に自立する構成であっても良い。
【００２６】
この他、カーテン１は、ラベルが付けられていたり、カーテンフックが設けられていても良い。
ここで、カーテンフックとは、カーテンランナ等に引っ掛けられて、カーテン１を吊り下げるためのものであり、このカーテンランナは、カーテンレールＹに移動可能に取り付けられていても良い。
【００２７】
尚、カーテンレールＹ、カーテンランナ等や、カーテン１の上部をカーテンボックスで覆っていても構わない。
又、カーテン１は、自立する構成である場合には、カーテン１自体を支える脚部や、枠体などを有していても良い。
【００２８】
＜カーテン１の丈方向Ｊ’・カーテン１の幅方向Ｗ’等＞
このように空間Ｋを隔てるカーテン１において、上下方向（鉛直方向）に略沿う方向を丈方向Ｊ’とし、その丈方向Ｊ’の長さをカーテン１の丈Ｊとする。
又、カーテン１において、丈方向Ｊ’に対して略直交し、当該カーテン１の表面１ａや裏面１ｂに略沿う方向を幅方向Ｗ’とし、その幅方向Ｗ’の長さをカーテン１の幅Ｗとする。
【００２９】
カーテン１の形状は、特に限定はなく、例えば、略矩形状であったり、その他、略台形状や楕円形状などであっても良い。
このようなカーテン１が隔てる空間Ｋについて、次に述べる。
【００３０】
＜空間Ｋ、空間Ｋの一方側Ｋａ、空間Ｋの他方側Ｋｂ＞
図１〜１３に示すように、空間Ｋは、カーテン１によって、一方側Ｋａと、他方側Ｋｂに隔てられる。
空間Ｋは、カーテン１に隔てられるのであれば、特に限定はないが、例えば、部屋の窓（開口部）にカーテン１が設けられた場合には、当該カーテン１によって、「室外（窓を閉めている場合は、窓とカーテン１の間の空間）側」と「室内側」に隔てられ、日中であれば、「室外側」が、光（太陽光など）Ｈが入射する空間Ｋの一方側Ｋａとなり、「室内側」が、光Ｈが進入する空間Ｋの他方側Ｋｂとなる（「室外」を一方側の空間Ｋａ、「室内」を他方側の空間Ｋｂとも表現できる）。
【００３１】
尚、夜間であれば、逆に「室内側」が、光（室内照明の光など）Ｈが入射する空間Ｋの一方側Ｋａとなり、「室外側」が、光Ｈが進入する空間Ｋの他方側Ｋｂとなるとも言える。
つまり、本発明における「空間Ｋの一方側Ｋａ（一方側の空間Ｋａ）」とは、カーテン１により隔てられた空間のうち、当該カーテン１に対して光Ｈが入射する側の空間を意味し、本発明における「空間Ｋの他方側Ｋｂ（他方側の空間Ｋｂ）」とは、  空間Ｋの一方側Ｋａから入射した光が、当該カーテン１を透過して進入する側の空間を意味する。
従って、空間Ｋにおける一方側Ｋａと他方側Ｋｂとは、日中か夜間かや、照明の有無やその明るさなどの条件等によって相対的に変わり得るものとも言えるが、その一方で、例えば、空間Ｋのうち室外から窓を介して差し込む太陽光Ｈが入射する条件の場合のみをもって、空間Ｋにおける一方側Ｋａと他方側Ｋｂを決めても良い。
【００３２】
又、窓の代わりに、カーテン１が部屋の出入口にドアカーテン様に設けられた場合も、当該カーテン１によって、「部屋の外側」と「部屋の内側」に隔てられ、入射する光Ｈによって、「部屋の外側」が空間Ｋの一方側Ｋａで、「部屋の内側」が空間Ｋの他方側Ｋｂとなったり、その逆となるとも言える。
その他、１つの部屋の内部を隔てるようにカーテン１が衝立（パーティションや間仕切り）状に設けられた場合も、当該カーテン１によって、空間Ｋは一方側Ｋａと他方側Ｋｂに隔てられると言え、室内照明などの光源Ｍがある側やより明るい側が、光Ｈが入射する空間Ｋの一方側Ｋａとなり、光源Ｍがない側やより暗い側が、光Ｈが進入する空間の他方側Ｋｂとなるとも言える。
【００３３】
＜光Ｈ＞
図１〜１３に示したように、光Ｈは、空間Ｋの一方側Ｋａからカーテン１に入射し、当該カーテン１を透過して、空間Ｋの他方側Ｋｂへ進入する。
このように入射・透過・進入するのであれば、光Ｈは、特に限定はないが、例えば、太陽光や、室内照明の光などでも良い。
又、このような光Ｈの光源Ｍは、太陽であったり、室内照明の光源（ＬＥＤ、蛍光灯、白熱灯、ＨＩＤなど）であっても良い。
【００３４】
＜カーテン生地１０＞
図１〜１３に示したように、カーテン生地１０は、カーテン１のベースとなるシート状物である。
カーテン生地１０は、当該カーテン生地１０を構成する（カーテン生地１０の元となる）生地を、端部における縫製、熱等の加工処理、又は、幅継ぎ（複数の生地を継いで１つのカーテン生地１０を構成すること）などを行って、初めてカーテン生地１０となる。
【００３５】
カーテン生地１０の素材は、特に限定はないが、例えば、編物、織物、フィルムなどや、それらを組み合わせたもののシート状物であっても良い。
カーテン生地１０が編物の場合、デンビー編（トリコット編）や、ラッシェル編、ダブルラッシェル編、バンダイク編（アトラス編）、コード編などの経編や、平編（天竺編）、ゴム編（リブ編）、パール編などの緯編など、それぞれ何れの組織であっても構わない。
【００３６】
カーテン生地１０が織物の場合、何れの織組織でも構わないが、例えば、平織や綾織、朱子織、二重織、二重織以上の多重織などであっても良い。
カーテン生地１０が編物や織物である場合、それらを構成（織成、編成）する繊維としては、ポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル系繊維、ポリビニルアルコール（ＰＶＡ）繊維（ビニロン繊維）、ポリウレタン（ＰＵ）繊維などの合成繊維、その他、絹（シルク）繊維、綿繊維、麻繊維、羊毛繊維、ガラス繊維などであり、これらを単独又は組み合わせて用いられても良い。
【００３７】
又、カーテン生地１０が編物や織物である場合、それらを構成（織成、編成）する繊維の繊度も、何れの値でも良いが、例えば、総繊度で、２０ｄｔｅｘ以上３０００ｄｔｅｘ以下である。
カーテン生地１０がフィルムなどのシート状物であれば（カーテン１が例えばシャワーカーテンである場合など）、それを構成する材料としては、ポリ塩化ビニル（ＰＶＣ）樹脂や、ポリエチレンテレフタレート（ＰＥＴ）や、ポリトリメチレンテレフタレート（ＰＴＴ）、ポリブチレンテレフタレート（ＰＢＴ）等のポリエステル樹脂、ポリアミド（ＰＡ）樹脂などの合成樹脂などや、これらを単独又は組み合わせて用いられても良い。
【００３８】
上述したカーテン生地１０は、その色彩については、赤色系、橙色系、黄色系、緑色系、青色系、紫色系、黒色系、白色系など何れの色調でも良く、彩度や明度についても何れの値でも構わない。カーテン生地１０の模様についても、花や草木などの植物の柄や、動物の柄、幾何学模様、無地、表面凹凸等による模様など何れでも良い。
カーテン生地１０は、所望により、酸化チタン、炭酸カルシウム等の体質顔料やフィラー（充填材）を任意に付与したり、消臭剤、抗菌剤、防カビ剤、難燃剤、撥水剤、防汚剤、着色剤、香料、発泡剤等を付与しても良く、付与するタイミングも、カーテン生地１０として構成する（織成・編成等をする）前後を問わず、付与の方法も何れであっても良い。
【００３９】
その他、カーテン生地１０が編物や織物である場合、そのカーテン生地１０において、太陽光線等の光Ｈが入射する面、つまり、空間Ｋの一方側Ｋａに位置した面（例えば、カーテン生地１０の室外側の裏面）１０ｂ側の糸に、光沢糸や遮熱糸、赤外線反射糸を用いたり、空間Ｋの他方側Ｋｂに位置した面（例えば、カーテン生地１０の室内側の表面）１０ａ側の糸に、Ｌ* 値（明度）の高い糸を用いても良い。
又、カーテン生地１０が編物や織物である場合、用いる糸の繊度、素材、色彩、彩度、明度、模様、添加物等を部分的に変えることによって、１つのカーテン１に、後に詳解する遮光部２や透光部３が形成しても良い。
【００４０】
＜遮光部２、遮光帯部２’＞
図１〜７に示したように、遮光部２は、カーテン１において、所定の可視光透過率Ｔを持つ部分である。
このような遮光部２は、その素材（編物であるか、織物やフィルムであるか）や色彩、模様等が異なることで、カーテン１における他の部分との可視光透過率Ｔの違いを持たせても良い。
【００４１】
又、遮光部２は、カーテン生地１０が編物や織物である場合には、その組織、使われている糸の素材、繊度、密度（編物や織物であれば、経糸密度又は／及び緯糸密度）が異なることで、カーテン１における他の部分との可視光透過率Ｔの違いを持たせても良い。
そして、１つのカーテン１における遮光部２の数は、複数でも１つでも良い。
尚、遮光部２の数が１つの場合には、全体が遮光部２であるカーテン生地１０と、全体が後述する透光部３である別のカーテン生地１０を１つに縫製する等して形成しても良い。
【００４２】
遮光部２のうち、帯状である部分を遮光帯部２’とし、この遮光帯部２’は、その長手方向がカーテン１の丈方向Ｊ’に略沿っていても良い。
このような遮光帯部２’と後述する透光帯部３’は、カーテン１の幅方向Ｗ’に沿って交互に繰り返し配設されていても良い。
【００４３】
その他、遮光帯部２’は、その長手方向がカーテン１の幅方向Ｗ’に略沿っていても良く、その場合は、遮光帯部２’と後述する透光帯部３’が、カーテン１の丈方向Ｊ’に沿って交互に繰り返し配設されていても良い。
又、この場合、遮光帯部２’と透光帯部３’のうち少なくとも一方は、後述するヒダ４における山４ａ及び谷４ｂ以外の位置に配設されていると共に、遮光帯部２’と透光帯部３’は、当該カーテン１の幅方向Ｗ’に沿って交互に配設されていても良い。
【００４４】
つまり、カーテン生地１０が編物や織物の場合、遮光帯部２’と透光帯部３’の切替り部分の密度が組織的に低くなるものや、それ以外も含まれる（切替り部分の密度が組織的に低くなるものに限定されない）。
更には、遮光帯部２’は、その長手方向がカーテン１の丈方向Ｊ’や幅方向Ｗ’以外の斜め方向に略沿っていても良く、その場合、遮光帯部２’と後述する透光帯部３’が、カーテン１の斜め方向（遮光帯部２’の長手方向とは略直交する斜め方向）に沿って交互に繰り返し配設されることとなる。
【００４５】
＜透光部３、透光帯部３’＞
図１〜７に示したように、透光部３は、カーテン１において、上述した遮光部２より可視光透過率Ｔが大きい部分である。
尚、この透光部３の可視光透過率Ｔは、遮光部２の可視光透過率Ｔの３倍以上、好ましくは４倍以上、更に好ましくは５倍以上であっても良い。
このような透光部３は、その素材（編物であるか、織物やフィルム等であるか）や色彩、模様等が異なることで、可視光透過率Ｔが遮光部２より大きかったり、遮光部２の３倍以上となるようにしても良い。
【００４６】
又、透光部３は、カーテン生地１０が編物や織物である場合には、その組織、使われている糸の素材、繊度、密度（編物や織物であれば、経糸密度又は／及び緯糸密度）が異なることで、可視光透過率Ｔが遮光部３より大きかったり、遮光部２の３倍以上となるようにしても良い。
そして、１つのカーテン１における透光部３の数も、複数でも１つでも良い。
尚、透光部３の数が１つの場合にも、全体が透光部３であるカーテン生地１０と、全体が上述した遮光部２である別のカーテン生地１０を１つに縫製する等して形成しても良い。
【００４７】
透光部３のうち、帯状である部分を透光帯部３’とし、この透光帯部３’は、その長手方向がカーテン１の丈方向Ｊ’に略沿っていても良い。
このような透光帯部３’と上述した遮光帯部２’は、カーテン１の幅方向Ｗ’に沿って交互に繰り返し配設されていても良い。
【００４８】
その他、透光帯部３’は、その長手方向がカーテン１の幅方向Ｗ’に略沿っていても良く、その場合に、透光帯部３’と上述した遮光帯部２’が、カーテン１の丈方向Ｊ’に沿って交互に繰り返し配設されていても良い。
又、この場合、透光帯部３’と遮光帯部２’のうち少なくとも一方は、後述するヒダ４における山４ａ及び谷４ｂ以外の位置に配設されていると共に、遮光帯部２’と透光帯部３’は、当該カーテン１の幅方向Ｗ’に沿って交互に配設されていても良い（このように配設することで、透光帯部３’と遮光帯部２’の切替り部分が、組織的に密度が低くなるとは限定されない）。
更には、透光帯部３’は、その長手方向がカーテン１の丈方向Ｊ’や幅方向Ｗ’以外の斜め方向に略沿っていても良く、その場合、透光帯部３’と上述した遮光帯部２’が、カーテン１の斜め方向（透光帯部３’の長手方向とは略直交する斜め方向）に沿って交互に繰り返し配設されることとなる。
【００４９】
＜可視光透過率Ｔ＞
このような遮光部２と透光部３における可視光透過率Ｔについて、以下に述べる。
本発明における「可視光」とは、ＪＩＳ−Ｚ−８１２０：２００１に準じる可視光（可視放射）であって、詳解すれば、「目に入って視感覚を起こすことができ、一般に可視放射の波長範囲の短波長限界は３６０〜４００ｎｍ、長波長限界は７６０〜８３０ｎｍである放射」を言う。
【００５０】
次に、本発明における「可視光透過率Ｔ」とは、ＪＩＳ−Ｚ−８１２０：２００１に準じる可視光の透過率であって、詳解すれば、「透過光の放射束又は光束Φt と入射光の放射束又は光束Φi の比Φt ／Φi 」を言い、一般に百分率（％）で表す。
ここで、放射束又は光束Φt やΦi の単位は「ルーメン（ｌｍ）」であり、照度の単位「ルクス（ｌｘ）」は「ルーメン毎平方メートル（ｌｍ／ｍ2 ）」でもあることから、本発明における「可視光透過率Ｔ」は、後述する他方側の空間内照度Ｓｂ÷一方側の空間内照度Ｓａ（つまり、Ｓｂ／Ｓａ）であっても良い。
【００５１】
遮光部２や透光部３の可視光透過率Ｔの具体的な値は、遮光部２より大きい、又は、遮光部２の３倍以上であれば、特に限定はないが、例えば、遮光部２（遮光帯部２’を含む）の可視光透過率Ｔは、０．１％以上５．０％以下、好ましくは０．２％以上４．５％以下、更に好ましくは０．５％以上４．０％以下（０．８％や３．７％等）であっても良い。
透光部３（透光帯部３’を含む）の可視光透過率Ｔの具体的な値としては、例えば、３．０％以上１５．０％以下、好ましくは４．０％以上１４．０％以下、更に好ましくは４．５％以上１３．５％以下（４．９％や１３．５％等）であっても良い。
その他、遮光部２（遮光帯部２’を含む）の可視光透過率Ｔが４．２５％以下で、且つ、透光部３（透光帯部３’を含む）の可視光透過率Ｔが４．２５％より大きくても良い。
【００５２】
＜ヒダ４＞
図１〜７に示したように、ヒダ４は、カーテン生地１０につけた折り目状のものであって、ヒダ４によって、シート状のカーテン生地１０に凹凸が形成される（ヒダ４は、カーテン生地１０をつまむことで形成されるカーテン生地１０の滑らかな凹凸（後述する山４ａや谷４ｂ）であったり、折り目で直線的に折り曲げたものであるとも言える）。
従って、ヒダ４にも長手方向が存在し、このヒダ４の長手方向は、例えば、カーテン１の丈方向Ｊ’に略沿っていても良い。
【００５３】
その他、ヒダ４は、その長手方向がカーテン１の丈方向Ｊ’に略沿っていたり、丈方向Ｊ’や幅方向Ｗ’以外の斜め方向に略沿っていても良い。
ヒダ４の長手方向は、上述した遮光帯部２’や透光帯部３’の長手方向に略沿っていても良い。
【００５４】
尚、このようなヒダ４がカーテン１に形成されるのであれば、何れの構成であっても良いが、例えば、カーテン１の少なくとも一部（上端部等）を、縫製によってヒダ状に形成したり、カーテン生地１０が熱可塑性樹脂の繊維等で構成されていれば、上述したように、熱セット加工によって形成しても構わない。
又、ヒダ４の数は、１つのカーテン１において複数や１つであっても構わないが、以下では、ヒダ４は複数であるとして述べる。
【００５５】
＜ヒダ４の山４ａ・谷４ｂ＞
図１〜７に示したように、ヒダ４の山４ａは、上述したように、カーテン１において他方側の空間Ｋｂ（例えば、カーテン１の室内側）へ最も突出した箇所（頂点）を意味し、ヒダ４が長手方向を有するため、その長手方向に沿って、最も突出した山４ａも長く続くこととなる。
又、ヒダ４の谷４ｂも、同様に、カーテン１において他方側の空間Ｋｂ（例えば、カーテン１の室内側）から最も遠ざかった箇所（谷底）を意味し、ヒダ４の長手方向に沿って最も遠ざかった谷４ｂが長く続くこととなる。
【００５６】
＜ヒダ４の山部４Ａ・谷部４Ｂ＞
ヒダ４の山４ａや谷４ｂに対して、本発明における「ヒダ４の山部４Ａ」は、上述したように、カーテン１において他方側の空間Ｋｂへ突出し且つ上述の「山４ａ」を含む所定広さを有した部分を意味する。
又、本発明における「ヒダ４の谷部４Ｂ」も、カーテン１において他方側の空間Ｋｂから遠ざかり且つ上述の「谷４ｂ」を含む所定広さを有した部分を意味する。
【００５７】
このようなヒダ４の山部４Ａや谷部４Ｂに対して、上述した遮光部２（特に、遮光帯部２’）や、透光部３（透光帯部３’）のうち少なくとも一方は、カーテン１の幅方向Ｗ’又は丈方向Ｊ’等に沿って繰り返し形成された複数のヒダ４における山４ａと谷４ｂの間で且つこれら山４ａ及び谷４ｂ以外の位置に配設されていると共に、遮光帯部２’と透光帯部３’は、当該カーテン１の幅方向Ｗ’に沿って交互に配設されていても良い。
つまり、遮光部２（特に、遮光帯部２’）や、透光部３（透光帯部３’）のうち少なくとも一方が、山部４Ａにおける頂点である山４ａや、谷部４Ｂにおける底である谷４ｂにさえ配設されなければ（重ならなければ）、山部４Ａや谷部４Ｂの一部に、遮光部２と透光部３が配設されていても良い。
【００５８】
ヒダ４の山部４Ａや谷部４Ｂの断面視形状も、特に限定はないが、例えば、アコーディオン状であったり（角張っていたり）、ドレープ状であっても（湾曲していても）良い。
ヒダ４の山部４Ａや谷部４Ｂの断面形状とは、ヒダ４の長手方向がカーテン１の丈方向Ｊ’に略沿うのであれば、ヒダ４の山部４Ａや谷部４Ｂの平面視形状であり、ヒダ４の長手方向がカーテン１の幅方向Ｗ’に略沿うのであれば、ヒダ４の山部４Ａや谷部４Ｂの側面視形状などである。
【００５９】
＜ヒダ４の振幅Ｎ＞
ヒダ４の断面視形状における振幅（山４ａの高さと谷４ｂの深さの和）Ａも、特に限定はないが、一様の値でなくとも良く、例えば、カーテン１の幅方向Ｗ’又は丈方向Ｊ’等の一方側の振幅Ｎと、その他方側の振幅Ｎとで、２つ以上の異なる値としたり、カーテン１の幅方向Ｗ’又は丈方向Ｊ’等における一端側から他端側に向かって徐々に又は段階的に大きく（逆に言えば、他端側から一端側に向かって徐々に又は段階的に小さく）なっても良い。
このように、振幅Ｎを変化させることにより、上述した遮光部２や透光部３を有さずとも、後述する他方側の空間内照度の最大値ＳｂMAX を、他方側の空間内照度の最小値Ｓｂmin の１．７倍以上等にすることが出来るとも言える。
【００６０】
尚、ヒダ４の振幅Ｎは、周期的又は不規則に変化しても良く、逆に、１つのカーテン１において、一様であっても良い。
又、ヒダ４の振幅Ｎについて詳解すれば、この振幅Ｎとは、隣接する２つのヒダ４において、一方のヒダ４における山４ａと、他方のヒダ４における谷４ｂとの間のヒダ４凹凸方向（ヒダ４が形成される前のカーテン生地１０の表面１０ａに直交する方向）の距離であるとも言える。
尚、このようなヒダ４の振幅Ｎはカーテン１にヒダ４を形成すると同時に決まる構成としたり、ヒダ４を形成した後に、その振幅Ｎを変更できる構成としても良い。
【００６１】
＜ヒダ４の間隔Ｄ＞
図１〜７に示したように、ヒダ４が複数ある場合、それら複数のヒダ４の間隔Ｄは、特に限定はないが、例えば、１つの決まった値（１つのカーテン１において一様）であっても良い。
一方、ヒダ４の間隔Ｄは、２つ以上の異なる値であっても良く、異なる値の例としては、カーテン１の幅方向Ｗ’又は丈方向Ｊ’等における一端側から他端側に向かって徐々に又は段階的に大きくなったり（逆に言えば、他端側から一端側に向かって徐々に又は段階的に小さくなったり）、周期的又は不規則に変動しても良い。
【００６２】
尚、ヒダ４の間隔Ｄについて詳解すれば、この間隔Ｄとは、隣接する２つのヒダ４における山４ａ同士（又は谷４ｂ同士）のヒダ４の断面視距離であるとも言える。
このようなヒダ４の間隔Ｄは、カーテン１にヒダ４を形成すると同時に決まる構成としても良いが、ヒダ４を形成した後に、後述する保持具２０によって、任意に保持される構成としても良い。
【００６３】
＜保持具２０＞
図３に示したように、保持具２０は、カーテン１に形成された複数のヒダ４における間隔Ｄを任意に保持するものである。
保持具２０は、ヒダ４の間隔Ｄを任意に保持できるのであれば、何れの構成であっても良いが、例えば、カーテン生地１０に上述した吊下げ用のカーテンフックが所定の取付間隔で取り付けられている場合、隣接する２つのカーテンフック同士を、その取付間隔より狭い連結間隔で連結する連結具２０であっても良い。
【００６４】
このような連結具２０は、両端部にカーテンフックへの連結部を有したチェーンや紐状物等であっても良く、この場合の取付間隔は、そのチェーンや紐状物等の長さとなる。
このような連結具２０を１つのカーテン１に対して複数用いる場合、各連結具２０が連結する連結間隔を、１つの決まった値（１つのカーテン１において一様）としたり、２つ以上の異なる値としたり、カーテン１の幅方向Ｗ’又は丈方向Ｊ’等における一端側から他端側に向かって徐々に又は段階的に大きくなったり（逆に言えば、他端側から一端側に向かって徐々に又は段階的に小さくなったり）、周期的又は不規則に変動しても良い。
【００６５】
この連結具２０はその取付間隔を調整可能とすることで、一旦、所定の取付間隔にて、各ヒダ４の間隔Ｄを所定の値に保持した後、カーテン１を用いる窓や部屋などの空間Ｋを変更したり、カーテン１を用いる空間Ｋに応じて、意図した通りの「方向性を持たせた光の取込み」や、「視聴者側の明るさ」と「画像等の視やすさ」の両立、更なる「内装部材等の劣化抑制」などを実現できる。
その他、保持具２０としては、１つのカーテン１において、所定数のヒダ４と吊下げ用のカーテンフックを有したカーテン単位ごとに、当該カーテン単位の両端のカーテンフックが互いに近接した状態と互いに離間した状態となるように、カーテンフックを移動させると共にヒダ４の間隔Ｄを操作紐等で調整する機構であっても良く、この機構は、操作紐等が当該カーテン単位の一端に固定され、この操作紐をリング等で支持してカーテン単位の幅方向に沿わせて、操作紐をワンウェイクラッチ等を介して操作する構成としても良い。
【００６６】
＜他方側の空間内照度Ｓｂ＞
図１〜７に示したように、他方側の空間内照度Ｓｂは、カーテン１により隔てられた空間Ｋの一方側Ｋａから入射した光Ｈが、当該カーテン１を透過して進入する空間Ｋの他方側Ｋｂにおける照度Ｓである。
他方側の空間内照度Ｓｂは、特に限定はないが、例えば、カーテン１の空間Ｋの他方側Ｋｂに位置した面（例えば、カーテン１の室内側の表面）１ａからの距離（カーテン１からの他方側距離）Ｚｂが、所定の値（２５ｃｍや１００ｃｍ、２００ｃｍなど）だけ離れた位置において照度計にて測定した値としても良い。
【００６７】
ここで、カーテン１からの他方側距離Ｚｂについて詳解すれば、この他方側距離Ｚｂとは、カーテン１の表面１ａにおける幅方向Ｗ’中央からの平面視（又は丈方向Ｊ’中央からの側面視等）における距離であるとも言える。
従って、カーテン１からの他方側距離Ｚｂは、カーテン１の表面１ａ中央に対する他方側正面位置（後述するカーテン１に対する他方側角度θｂが０°である位置）までの距離だけでなく、カーテン１の表面１ａ中央の正面に対する他方側斜め位置（他方側角度θｂが０°以外の値である位置）までの距離も含む。
【００６８】
ここまで述べた他方側正面位置や他方側斜め位置の何れであっても、一般的には、カーテン１からの他方側距離Ｚｂが大きくなるほど、他方側の空間内照度Ｓｂが小さくなると言える。
又、カーテン１からの他方側距離Ｚｂが略同じであれば、カーテン１に対する他方側角度θｂによって、他方側の空間内照度Ｓｂの値が変化するとも言える。
【００６９】
尚、上述したカーテン１に対する他方側角度θｂとは、カーテン１の表面１ａにおける幅方向Ｗ’中央の正面（例えば、法線）を基準線（０°）Ｃとし、この基準線Ｃからの平面視（又は丈方向Ｊ’中央の正面を基準線Ｃとし、この基準線Ｃからの側面視等）における角度であり、その値は、例えば、６０°などであっても良い。尚、図４中、θｂの「＋」方向とは、カーテン１の表面１ａ中央から他方側の空間Ｋｂへ向かって「左方向」を意味し、θｂの「−」方向とは、カーテン１の表面１ａ中央から他方側の空間Ｋｂへ向かって「右方向」を意味する。
又、カーテン１からの他方側距離Ｚｂは、カーテン１の表面１ａ中央からの距離ではなく、カーテン１の表面１ａの各点からの当該各点における法線方向における距離であっても良い。
【００７０】
ここで、カーテン１がヒダ４を有する（カーテン１が凹凸している）場合について述べると、カーテン１の表面１ａ中央は、その凹凸の状態によって、ヒダ４の山４ａ、谷４ｂ、山４ａと谷４ｂの間の３つのうち何れかとなる。
この場合、カーテン１からの他方側距離Ｚｂは、カーテン１の表面１ａ中央がこれら３つのうち何れであっても、その中央からの距離（表面１ａ中央が山４ａであれば山４ａからの距離、表面１ａ中央が谷４ｂであれば谷４ｂからの距離、表面１ａ中央が山４ａと谷４ｂの間であればその間からの距離）としても良い。
【００７１】
又、この場合、カーテン１からの他方側距離Ｚｂは、カーテン１の表面１ａ中央が３つのうち何れかであるかに関わらず、表面１ａ中央で、且つ、ヒダ４の山４ａと谷４ｂのヒダ４凹凸方向（ヒダ４が形成される前のカーテン生地１０の表面１０ａに直交する方向）の中間位置からの距離としても良い。
更に、カーテン１がヒダ４を有する場合において、他方側角度θｂについても述べれば、カーテン１の表面１ａ中央が、ヒダ４の山４ａ、谷４ｂ、山４ａと谷４ｂの間の３つのうち何れであるかによって、表面１ａ中央における法線方向は全く異なるものの、この場合の他方側角度θｂは、カーテン１の表面１ａ中央が３つのうち何れかであるかに関わらず、ヒダ４凹凸方向からの平面視（又は側面視等）における角度であっても良い。
このような角度は、カーテン１の表面１ａ中央以外の点でも同様で、カーテン１の表面１ａの各点におけるヒダ４凹凸方向からの平面視（又は側面視等）における角度を、カーテン１に対する他方側角度θｂとしても良い。
【００７２】
＜一方側の空間内照度Ｓａ＞
一方側の空間内照度Ｓａは、光Ｈが入射してくる空間Ｋの一方側Ｋａにおける照度Ｓである。
その他、一方側の空間内照度Ｓａの態様は他方側の空間内照度Ｓｂと同様である。
【００７３】
＜他方側の空間内照度の最大値ＳｂMAX ＞
他方側の空間内照度の最大値ＳｂMAX は、上述した他方側の空間内照度Ｓｂにおいて、最も大きい照度Ｓの値を意味しても良い。
つまり、この意味の場合、最大値ＳｂMAX とは、空間Ｋの他方側Ｋｂにおける全ての位置で測定された照度Ｓのうち、最も大きい値を指す。
この他、他方側の空間内照度の最大値ＳｂMAX は、空間Ｋの他方側Ｋｂへ進入した光によって、カーテン１中央（表面１ａ中央）の他方正面位置を中心とした対象位置（カーテン１の平面視又は側面視等の左右対象位置又は上下対象位置等）における２つ１組の照度Ｓの値のうち、大きい方の照度Ｓの値（つまり、２つの値の中では、最も大きい照度Ｓの値）を意味しても良く、この意味の場合、対象位置における２つ１組の照度Ｓの値のうち、大きい方の照度Ｓの値が他方側の空間内照度の最大値ＳｂMAX となる。
【００７４】
このような、最大値ＳｂMAX について詳しく述べると、上述したように、カーテン１からの他方側距離Ｚｂが大きくなるほど、他方側の空間内照度Ｓｂが小さくなると言えることから、カーテン１の表面１ａにおける幅方向Ｗ’中央（又は丈方向Ｊ’中央等）の正面位置（法線上の位置）で、カーテン１からの他方側距離Ｚｂが「０（ゼロ）」である位置（カーテン１の表面１ａ中央）で測定した照度Ｓの値を、最大値ＳｂMAX としても良い。
又、最大値ＳｂMAX は、カーテン１の表面１ａ中央以外の点でも同様で、カーテン１の表面１ａの各点からの他方側距離Ｚｂが「０（ゼロ）」である位置（つまり、カーテン１の表面１ａ上の各点）で測定した照度Ｓの値を、最大値ＳｂMAX としても良い。
【００７５】
更に最大値ＳｂMAX について述べると、カーテン１から所定の他方側距離Ｚｂだけ離れた箇所においては、他方側角度θｂが０°となる他方側正面位置で測定した照度Ｓの値は、同じ所定の他方側距離Ｚｂだけ離れ且つ他方側角度θｂが０°以外となる他方側斜め位置で測定した照度Ｓの値より大きくなることから、この所定の他方側距離Ｚｂだけ離れた箇所においては、他方側正面位置における照度Ｓの値が、最大値ＳｂMAX であるとも言える。
尚、実際にカーテン１を部屋の窓（開口部）等に使用した際には、この他方側正面位置は、光Ｈが窓等やカーテン１を真っ直ぐ透過（正透過）してきた面（所定広さの正透過光面）Ｐであるとも言え、この正透過光面Ｐの中央位置（中央位置近傍）で測定した照度Ｓの値（又は、所定広さの正透過光面Ｐ中の複数位置で測定した照度Ｓの平均値）を、最大値ＳｂMAX としても良い（図５参照）。
この正透過光面Ｐは、実際にカーテン１を部屋の窓等に使用した際には、光Ｈが窓等やカーテン１を真っ直ぐ透過（正透過）してきた位置にある当該部屋の壁面であっても良い。
【００７６】
＜他方側の空間内照度の最小値Ｓｂmin ＞
一方、他方側の空間内照度の最小値Ｓｂmin は、上述した他方側の空間内照度Ｓｂにおいて、最も小さいきい照度Ｓの値を意味しても良い。
つまり、この意味の場合、最小値Ｓｂmin とは、空間Ｋの他方側Ｋｂにおける全ての位置で測定された照度Ｓのうち、最も小さい値を指す。
この他、他方側の空間内照度の最小値Ｓｂmin は、空間Ｋの他方側Ｋｂへ進入した光によって、カーテン１中央（表面１ａ中央）の他方正面位置を中心とした対象位置（カーテン１の平面視又は側面視等の左右対象位置又は上下対象位置等）における２つ１組の照度Ｓの値のうち、小さい方の照度Ｓの値（つまり、２つの値の中では、最も小さい照度Ｓの値）を意味しても良く、この意味の場合、対象位置における２つ１組の照度Ｓの値のうち、小さい方の照度Ｓの値が、後述する他方側の空間内照度の最小値Ｓｂmin となる。
【００７７】
この最小値Ｓｂmin について詳しく述べると、カーテン１からの他方側距離Ｚｂが大きくなる（カーテン１から離れる）ほど、他方側の空間内照度Ｓｂは小さくなることから、他方側距離Ｚｂが無限大（カーテン１から無限遠）の位置で測定した照度Ｓの値を、最小値Ｓｂmin としても良い。
尚、実際にカーテン１を部屋の窓等に使用した際には、そのカーテン１から無限遠における照度Ｓを測定しても、部屋の壁などで遮られることから、その部屋内における当該カーテン１（又は窓）から最も遠い位置で測定した照度Ｓの値が、最小値Ｓｂmin であるとも言える。
【００７８】
更に最小値Ｓｂmin について述べると、カーテン１から所定の他方側距離Ｚｂだけ離れた箇所においては、上述したように、他方側角度θｂが０°となる他方側正面位置で測定した照度Ｓの値は、同じ所定の他方側距離Ｚｂだけ離れ且つ他方側角度θｂが０°以外となる他方側斜め位置で測定した照度Ｓの値より大きくなることから、この所定の他方側距離Ｚｂだけ離れた箇所では、他方側斜め位置における照度Ｓの値が、最小値Ｓｂmin であるとも言える。
尚、実際にカーテン１を部屋の窓等に使用した際には、この他方側斜め位置は、光Ｈが窓等やカーテン１を拡散や斜めに透過（拡散透過）してきた面（所定広さの拡散透過光面）Ｐ’であるとも言え、この拡散透過光面Ｐ’の基準線Ｃから最も離れた位置で測定した照度Ｓの値（又は、所定広さの拡散透過光面Ｐ’中の複数位置で測定した照度Ｓの平均値）を、最小値Ｓｂmin としても良い（図５参照）。
この拡散透過光面Ｐ’は、実際にカーテン１を部屋の窓等に使用した際には、光Ｈが窓等やカーテン１を拡散や斜めに透過（拡散透過）してきた位置にある当該部屋の壁面であっても良い。
【００７９】
＜他方側の空間内照度の最大値ＳｂMAX と最小値Ｓｂmin の関係等＞
ここまで述べてきた他方側の空間内照度の最大値ＳｂMAX と最小値Ｓｂmin の関係は、他方側の空間内照度の最大値ＳｂMAX ・最小値Ｓｂmin が、空間Ｋの他方側Ｋｂにおける全ての位置で測定された照度Ｓのうち最も大きい値・小さい値の意味であるか、又は、空間Ｋの他方側Ｋｂへ進入した光によって、カーテン１の表面１ａ中央の他方正面位置を中心とした対象位置における２つ１組の照度Ｓの値のうち、大きい方の照度Ｓの値・小さい方の照度Ｓの値の意味である等の何れの場合であっても、最大値ＳｂMAX が、最小値Ｓｂmin の１．７倍以上であっても良く、好ましくは２．０倍以上、更に好ましくは２．３倍倍以上、より好ましくは２．８倍以上であっても良い。
又、最大値ＳｂMAX が、最小値Ｓｂmin の４倍以上、好ましくは５倍以上、更に好ましくは１０倍以上であっても良い。
更に、他方側の空間内照度の最大値ＳｂMAX と最小値Ｓｂmin の関係は、上述した遮光部２や透光部３をカーテン１が有しているのであれば、特に限定がなくとも良く、最大値ＳｂMAX は、１００ルクス（ｌｘ）以上であったり、１０ルクス以上である一方で、最小値Ｓｂmin は、４０ルクス以下であったり、２０ルクス以下であっても良い。
尚、特に、他方側の空間内照度の最大値ＳｂMAX ・最小値Ｓｂmin が、上述した対象位置における２つ１組の照度Ｓの値のうち、大きい方の照度Ｓの値・小さい方の照度Ｓの値の意味であるの場合には、その最大値ＳｂMAX が、最小値Ｓｂmin の１．７倍以上であっても良く、好ましくは２．０倍以上、更に好ましくは２．３倍以上、より好ましくは２．８倍以上であっても良い。
【００８０】
＜カーテン生地１０の実施例Ａ＞
ここまで述べたカーテン１におけるカーテン生地１０の一例として、編物で構成した実施例Ａを図６、７に示す。
この図６（ａ）〜（ｃ）と図７に示すように、カーテン生地１０は、１枚の経編地であり、遮光部２（遮光帯部２’）、透光部３（透光帯部３’）と共に、左右の耳部１１、遮光帯部２’と透光帯部３’の切替部１２を有している。
【００８１】
実施例Ａのカーテン生地１０は、５枚筬（第１〜５筬）の経編機の第１筬には、ポリエステルウーリー加工糸（１６７ｄｔｅｘ４８フィラメント、セミダルの繊維糸条、主編糸）を通糸し、第２筬には、ポリエステルウーリー加工糸（３３０ｄｔｅｘ９６フィラメント、セミダルの繊維糸条）を通糸し、第３筬には、ポリエステルウーリー加工糸（１６７ｄｔｅｘ７２フィラメント、セミダルの繊維糸条）を通糸し、第４筬には、ポリエステルウーリー加工糸（１６７ｄｔｅｘ７２フィラメント、セミダルの繊維糸条）を通糸し、第５筬には、カチオン可染ポリエステルウーリー加工糸（１６７ｄｔｅｘ４８フィラメント、セミダルの繊維糸条）を通糸し、第１筬による編組織を１−０／０- １／……（鎖組織）とし、第２筬による編組織を０−０／２−２／……（挿入組織）とし、第３筬による編組織を０−０／４−４／……（挿入組織）とし、第４筬による編組織を４−４／０−０／……（挿入組織）とし、第５筬による編組織を４−４／０−０／……（挿入組織）として編成した経編地（経編布帛）である。
【００８２】
このような各筬のうち、第１、３、５筬による編組織で遮光帯部２’が編成されており、特に、第５筬による編組織で遮光帯部２’の表面２ａ’が編成され、第３筬による編組織で遮光帯部２’の裏面２ｂ’（太陽光線等の光Ｈが入射する空間Ｋの一方側Ｋａの面）が編成されている。
同様に、第１、３、４筬による編組織で透光帯部３’が編成され、特に、第４筬による編組織で透光帯部３’の表面３ａ’が編成され、第３筬による編組織で透光帯部３’の裏面３ｂ’（太陽光線等の光Ｈが入射する空間Ｋの一方側Ｋａの面）が編成されている。
このように編成された遮光帯部２’と透光帯部３’は、カーテン生地１０（カーテン１）の幅方向Ｗ’に沿って交互に繰り返し配設され、それぞれの長手方向がカーテン１の丈方向Ｊ’に略沿っている。
【００８３】
更に加えて、第１、３、４筬による編組織で耳部１１も編成され、特に、第４筬による編組織で耳部１１の表面１１ａが編成され、第３筬による編組織で耳部１１の裏面１１ｂ（太陽光線等の光Ｈが入射する空間Ｋの一方側Ｋａの面）が編成されている。
又、第２筬による編組織で切替部１２が編成されている。
【００８４】
このように編成された各部２’、３’、１１、１２の１つの繰返し単位（１リピート）における通糸された糸の本数について述べる。
遮光帯部２’は、第１筬に通した糸が７７本、第３筬に通した糸が７４本（遮光帯部２’の右寄りに通糸）、第５筬に通した糸が７４本（遮光帯部２’の左寄りに通糸）で、１つの繰返し単位が編成されている。
透光帯部３’は、第１筬に通した糸が７７本、第３筬に通した糸が７４本（透光帯部３’の右寄りに通糸）、第４筬に通した糸が７４本（透光帯部３’の左寄りに通糸）で、１つの繰返し単位が編成されている。
【００８５】
又、耳部１１は、左右共に、第１筬に通した糸が１９本（各耳部１１においてカーテン生地０としての端部側には２本入れ（２本通糸））、第３筬に通した糸が７４本（耳部１１の右寄りに通糸）、第４筬に通した糸が７４本（耳部１１の左寄りに通糸）で、１つの繰返し単位が編成されている。
各切替部１２は、第２筬に通した糸が７本（各切替部１２の左側に位置する部分の端に２本入れ（２本通糸）し、各切替部１２の右側に位置する部分の端から２番目の針に２本入れ（２本通糸））で、１つの繰返し単位が編成されている。
尚、切替部１２は、他の遮光帯部２’や透光帯部３’、耳部１１よりも、編組織としての密度（経糸密度）が低いと言え、切替部１２でアコーディオン状にセット加工等にて屈曲させた場合には、屈曲部１２となる。
尚、このような屈曲部（切替部）１２は、編組織としての密度（経糸密度）の低さから、透光部３に含まれるとも言える。屈曲部（切替部）１２が透光部３に含まれる場合は、屈曲部（切替部）１２が複数のヒダ４における山４ａ及び谷４ｂの位置に配設されるため、「遮光部３のみが、複数のヒダ４における山４ａと谷４ｂの間で且つこれら山４ａ及び谷４ｂ以外の位置に配設されている」とも言える。
【００８６】
更に、各筬に通す糸の本数について述べる。
第１筬に通す糸の本数は、左の耳部１１で１９本、遮光帯部２’と透光帯部３’それぞれを７リピートずつ（合計１４リピート）を合わせた部分（本体）で各１リピート７７本×１４＝１０７８本、右の耳部１１で１９本の合計１１１６本である。
第２筬に通す糸の本数は、各１リピート７本×１５＝１０５本である。
第３筬に通す糸の本数は、左の耳部１１で１５本、遮光帯部２’と透光帯部３’それぞれを７リピートずつ（合計１４リピート）を合わせた部分（本体）で各１リピート７４本×１４＝１０３６本、右の耳部１１で１５本の合計１０６６本である。
第４筬に通す糸の本数は、左の耳部１１で１５本、透光帯部３’を７リピート分で各１リピート７４本×７＝５１８本、右の耳部１１で１５本の合計５４８本である。
第５筬に通す糸の本数は、遮光帯部２’を７リピート分で各１リピート７４本×７＝５１８である。
そして、上述の第１〜５筬を持つ経編機全体としての糸を通す針の本数は、左の耳部１１で１８本、遮光帯部２’と透光帯部３’それぞれを７リピートずつ（合計１４リピート）を合わせた部分（本体）で各１リピート７７本×１４＝１０７８本、右の耳部１１で１８本の合計１１１４本である。
【００８７】
＜試験１〜４＞
ここからは、まず本発明に係るカーテン１の実施例１〜３と、比較例１〜１０について言及する。
これら実施例１〜３と比較例１〜１０を用いて、後述する試験１〜４を行う。
【００８８】
＜実施例１＞
ポリエステル糸（１６７ｄｔｅｘ４８フィラメント、セミダルの繊維糸条）と、カチオン可染ポリエステル糸（１６７ｄｔｅｘ４８フィラメント、セミダルの繊維糸条）を経糸とし、ウェール方向で２２ウェール／インチ、コース方向で４４コース／インチの糸密度、目付３５２／ｍ2 であり、遮光帯部２’と透光帯部３’を有したラッセル編物をカーテン生地１０として編成した。尚、このカーテン生地１０を編成する糸は、８２％がポリエステル糸で、１８％がカチオン可染ポリエステル糸である。
このように編成したカーテン生地１０は、遮光帯部２’がポリエステル糸とカチオン可染ポリエステル糸で編成され、透光帯部３’がポリエステル糸のみ編成され、これら遮光帯部２’と透光帯部３’は、それぞれが幅９ｃｍで、且つ、カーテン生地１０（カーテン１）の幅方向Ｗ’に沿って交互に繰り返し配設され、それぞれの長手方向がカーテン１の丈方向Ｊ’に略沿っている。
このカーテン生地１０を、遮光帯部２’と透光帯部３’の切替部でアコーディオン状に屈曲するようセット加工等で、複数のヒダ４をカーテン１の幅方向Ｗ’に沿って繰り返し形成して、実施例１のカーテン１を得た。
【００８９】
＜実施例２＞
カーテン１の遮光帯部２’を、綿の糸（２０番単糸の繊維糸条）を経糸及び緯糸とし、経方向及び緯方向で２３６本／１０ｃｍの糸密度、目付１５４／ｍ2 の織物で織成した。この遮光帯部２’の織物を、ＪＩＳ−Ｚ−８７８１−４：２０１３によるＬ* ａ* ｂ* 表色系に準じるＬ* 値（明度とも言い、以下「Ｌ* 値」）が３４．９８で、同様に準じるａ* 値（以下単に「ａ* 値」）が１．４９で、同様に準じるｂ* 値（以下単に「ｂ* 値」）が−３．８０となるように染色した。
一方、カーテン１の透光帯部３’を、ポリエステル糸（８４ｄｔｅｘ３６フィラメント、セミダルの繊維糸条）を経糸とし、ポリエステル糸（８４ｄｔｅｘ３０フィラメント、セミダルの繊維糸条）を緯糸とし、経方向で３８０本／１０ｃｍ、緯方向で４６０本／１０ｃｍの糸密度、目付８０／ｍ2 の織物で織成した。この透光帯部３’の織物を織成する糸は、４５％が８４ｄｔｅｘ３６フィラメントのポリエステル糸で、５５％が８４ｄｔｅｘ３０フィラメントのポリエステル糸である。
このように織成した遮光帯部２’と透光帯部３’は、それぞれが幅１０ｃｍで、且つ、カーテン生地１０（カーテン１）の幅方向Ｗ’に沿って交互に繰り返し配設され、それぞれの長手方向がカーテン１の丈方向Ｊ’に略沿うに連結し、この連結した部分でアコーディオン状に屈曲するように、複数のヒダ４をカーテン１の幅方向Ｗ’に沿って繰り返し形成して、実施例２のカーテン１を得た。
【００９０】
＜実施例３＞
ポリエステル糸（１６７ｄｔｅｘ４８フィラメント、セミダルの繊維糸条）と、ポリエステル糸（３３０ｄｔｅｘ９６フィラメント、セミダルの繊維糸条）を経糸とし、ウェール方向で１９ウェール／インチ、コース方向で３５コース／インチの糸密度、目付２６３／ｍ2 のラッセル編物をカーテン生地１０として編成した。尚、このカーテン生地１０を編成する糸は、２６％が１６７ｄｔｅｘのポリエステル糸で、７４％が３３０ｄｔｅｘのポリエステル糸である。
このように編成したカーテン生地１０を、所定幅ごとにアコーディオン状に屈曲するようセット加工等で、複数のヒダ４をカーテン１の幅方向Ｗ’に沿って繰り返し形成し、更に、複数のヒダ４の間隔Ｄを徐々に変化させた状態で保持して、実施例３のカーテン１を得た。
【００９１】
＜比較例１＞
綿の糸（２０番単糸の繊維糸条）を経糸及び緯糸とし、経方向及び緯方向で２３６本／１０ｃｍの糸密度、目付１５４／ｍ2 の織物をカーテン生地として織成した。このカーテン生地を、Ｌ* 値が１５．４５で、ａ* 値が１．３８で、ｂ* 値が−１．５３となるように染色した。
このように織成したカーテン生地を、ヒダ４を形成せず、比較例１のフラット状のカーテンを得た。
【００９２】
＜比較例２＞
比較例１のカーテンにおいて、Ｌ* 値が３４．９８で、ａ* 値が１．４９で、ｂ* 値が−３．８０となるように染色することで、比較例２のフラット状のカーテンを得た。
【００９３】
＜比較例３＞
比較例１のカーテンにおいて、Ｌ* 値が４７．８０で、ａ* 値が−１．０４で、ｂ* 値が−９．１６となるように染色することで、比較例３のフラット状のカーテンを得た。
【００９４】
＜比較例４＞
比較例１のカーテンにおいて、Ｌ* 値５９．８６で、ａ* 値が−５．２２で、ｂ* 値が−１２．０５となるように染色することで、比較例４のフラット状のカーテンを得た。
【００９５】
＜比較例５＞
比較例１のカーテンにおいて、Ｌ* 値が５６．５２で、ａ* 値が１．１９で、ｂ* 値が−１．６９となるように染色することで、比較例５のフラット状のカーテンを得た。
【００９６】
＜比較例６＞
比較例１のカーテンにおいて、Ｌ* 値が７４．２９で、ａ* 値が−０．１１で、ｂ* 値が−２．２５となるように染色することで、比較例６のフラット状のカーテンを得た。
【００９７】
＜比較例７＞
ポリエステル糸（８４ｄｔｅｘ３６フィラメント、セミダルの繊維糸条）を経糸とし、ポリエステル糸（８４ｄｔｅｘ３０フィラメント、セミダルの繊維糸条）を緯糸とし、経方向で３８０本／１０ｃｍ、緯方向で４６０本／１０ｃｍの糸密度、目付８０／ｍ2 の織物をカーテン生地として織成した。このカーテン生地を織成する糸は、４５％が８４ｄｔｅｘ３６フィラメントのポリエステル糸で、５５％が８４ｄｔｅｘ３０フィラメントのポリエステル糸である。
このように織成したカーテン生地を、ヒダ４を形成せず、比較７１のフラット状のカーテンを得た。
【００９８】
＜比較例８＞
ポリエステル糸（５０ｄｔｅｘ１４４フィラメント、ブライトの繊維糸条）を経糸とし、ポリエステル糸（５０ｄｔｅｘ３６フィラメント、ブライトの繊維糸条）を緯糸とし、経方向で８４１本／１０ｃｍ、緯方向で４１３本／１０ｃｍの糸密度、目付８６／ｍ2 の織物をカーテン生地として織成した。このカーテン生地を織成する糸は、６８％が５０ｄｔｅｘ１４４フィラメントのポリエステル糸で、３２％が５０ｄｔｅｘ３６フィラメントのポリエステル糸である。
このように織成したカーテン生地を、ヒダ４を形成せず、比較例８のフラット状のカーテンを得た。
【００９９】
＜比較例９＞
実施例３のカーテンにおいて、複数のヒダの間隔を１つの決まった値（一様）とすることで、比較例９のカーテンを得た。
【０１００】
＜比較例１０＞
実施例３のカーテンにおいて、ヒダ４を屈曲させずに伸ばした状態とすることで、比較例１０のカーテンを得た。
【０１０１】
ここまで述べた実施例１〜３、比較例１〜１０におけるＬ* 値、ａ* 値、ｂ* 値や、可視光透過率Ｔ、拡散値Ｅ、採光拡散値ＧＥについて、一部は上述したが、改めて以下の表１にまとめて示す。
【０１０２】
ここで、拡散値Ｅは、１５°≦｜θ｜≦７５°の範囲の一つの地点の照度か、１５°≦｜θ｜≦７５°の範囲の複数の地点の照度を統計的に処理した値かのいずれか一方を、０°≦｜θ｜≦５°の範囲の一つの地点の照度か、０°≦｜θ｜≦５°の範囲の複数の地点の照度を統計的に処理した値かのいずれか一方で割った値であっても良い。
又は、拡散値Ｅは、被検物を透過し拡散した光だけが達する範囲の一つの地点の照度か、被検物を透過し拡散した光だけが達する範囲の複数の地点の照度を統計的に処理した値かのいずれか一方を、被検物を透過し拡散しなかった光が達する範囲の一つの地点の照度か、被検物を透過し拡散しなかった光が達する範囲の複数の地点の照度を統計的に処理した値かのいずれか一方で割った値であっても良い。
より具体的な値としては、例えば、θが６０°地点の照度を、θが０°地点の照度で割った値を、拡散値Ｅとしても良い。
尚、上述したθとは、カーテンの表面における幅方向中央の正面（例えば、法線）を基準線（０°）Ｃとし、この基準線Ｃからの平面視（又は丈方向Ｊ’中央の正面を基準線Ｃとし、この基準線Ｃからの側面視等）における角度である。
【０１０３】
又、採光拡散値ＧＥは、採光値Ｇと拡散値Ｅとを掛けた値である。
尚、採光値Ｇとは、複数の地点の照度をθで積分した値を照度積分値として、前記被検物がある状態での照度に基づく照度積分値を、前記被検物がない状態での照度に基づく照度積分値で割った値であり、より具体的な値としては、例えば、θが０°から６０°までの照度値と、θが９０°の地点の照度を０ルクス（ｌｘ）と置いた０°から９０°の照度を積分した値を照度積分値とし、被検物を設置した状態での照度積分値を、被検物を設置しない状態での照度積分値で割った値を、採光値Ｇとしても良い。
【０１０４】
【表１】
2018110749.tif 000003
【０１０５】
＜試験１＞
試験１では、上述した実施例１〜３、比較例１〜１０のカーテンと、カーテンを使用しない場合（以下「比較例０」とする）に対して、以下の測定システムＸにて照度Ｓを測定し、その結果を表２〜４にて示す。
尚、表２は、実施例１〜１０、比較例０〜１０それぞれの照度Ｓ（ルクス（ｌｘ））の生データであり、表３は、表２の照度Ｓの生データにおいて、カーテン中央の正面位置（つまり、基準線Ｃ）を中心とした対象位置における２つ１組の照度の値のうち、大きい方の照度の値（最大値ＳｂMAX ）を、小さい方の照度の値（最小値Ｓｂmin ）で割った値を示したものであり、表４は、正透過光面Ｐと左右の拡散透過光面Ｐ’ごとの照度Ｓの平均値（ルクス（ｌｘ））と、左右の拡散透過光面Ｐ’の照度の値のうち、大きい方の照度の値（最大値ＳｂMAX ）を、小さい方の照度の値（最小値Ｓｂmin ）で割った値を示したものである。
【０１０６】
ここで、図５に示すように、試験１における測定システムＸは、ボックス（筐体）Ｂと、このボックスＢに収容された光源Ｍとを備え、ボックスＢの１つの側面（後述のカーテン取付側面）Ｂ’の中央には矩形状（正方形状等）の開口部Ｑが形成されている。尚、ボックスＢの内壁全体は黒色として、光源Ｍから照射される光がボックスＢ内で反射することを極力抑えても良い。
又、光源Ｍは、光Ｈを照射するのであれば、例えば、ＬＥＤ、蛍光灯、白熱灯、ＨＩＤなどであっても良く、光源Ｍの形状、消費電力、波長、指向性の有無、単色光か白色光かなどについては問われない。光源Ｍは、その光軸Ｍ’がカーテン取付側面Ｂ’と開口部Ｑの中心（正方形状等の開口部Ｑの対角線の交点）で直交し、且つ、開口部Ｑの中心を通るようにボックスＢ内に配置され、開口部Ｑ全体に向けて光を照射する。
上述した実施例１〜３、比較例０〜１０は、ボックスＢの開口部Ｑを覆うように取り付けられ、光源Ｍから照射された光Ｈは、カーテン（又は開口部Ｑ）の一方側から開口部Ｑの大きさで当該カーテン等に入射し、カーテン等の他方側へ透過する。このような測定システムＸの構成によって、光Ｈが窓等に差し込み、カーテン等に入射し、これを透過するような状況が作り出される。
従って、試験１においては、ボックスＢ内が「空間Ｋの一方側Ｋａ」であり、ボックスＢ外（光Ｈが当該カーテン等を透過してボックスＢの外へ出ていくため）が「空間Ｋの他方側Ｋｂ」である。尚、ボックスＢのカーテン取付側面Ｂ’側には、光Ｈが余計な拡散を抑えるため、フードＦがカーテン取付側面Ｂ’から突出状に設けられていても良い。
このように、ボックスＢ外（空間Ｋの他方側Ｋｂ）へ出た光Ｈは、所定の他方側距離Ｚｂだけ離れた正透過光面Ｐと拡散透過光面Ｐ’における所定範囲（例えば、平面視で、基準線Ｃから左へ１００ｃｍ、右へ１００ｃｍ）を、所定距離（例えば、１０ｃｍ）刻みの位置にて照度を測定する。
尚、試験１におけるボックスＢの開口部Ｑは、例えば、６６ｃｍ角（縦横６６ｃｍ）の正方形状であり、光源Ｍからカーテン（又は開口部Ｑ）までの距離は、例えば、２００ｃｍであり、カーテン（又は開口部Ｑ）から正透過光面Ｐ及び拡散透過光面Ｐ’までの距離は、例えば、１００ｃｍであり、フードＦの突出幅は、例えば、３０ｃｍであっても良い。
【０１０７】
【表２】
2018110749.tif 000004
【０１０８】
【表３】
2018110749.tif 000005
【０１０９】
【表４】
2018110749.tif 000006
【０１１０】
＜試験１の評価＞
表２〜４のうち、まず、表２について述べる。
表２中の各実施例・比較例における各位置の照度Ｓの値で最も大きいものは、全ての比較例０〜１０で基準線Ｃ近傍（平面視で、基準線Ｃから左へ１０ｃｍと右へ１０ｃｍの間の範囲）の値が最も大きくなっている。
これに対して、特に実施例１、２では、基準線Ｃから右へ２０ｃｍの位置における照度Ｓの値が最も大きくなっており、基準線Ｃからそれほど離れていない正透過光面Ｐ内においても、実施例１、２は、全ての比較例０〜１０と照度Ｓが最も大きくなる中心が異なっている（意図する方向性に、光を取り込んでいる）とも言える。
一方、表２中の各実施例・比較例における各位置の照度Ｓの値で最も小さいものは、全ての比較例０〜１０では、基準線Ｃから右へ１００ｃｍの位置における値が、最も小さく、且つ、基準線Ｃから左へ１００ｃｍの位置における値と大差はない。
又、表２中には、基準線Ｃから左右へ１００ｃｍの対象位置以外にも、照度Ｓの値が異なる実施例・比較例の各位置の値が多く存在する。
【０１１１】
そこで、表３に示したように、表２中の左右対象位置における２つ１組の照度の値のうち、大きい方の値を小さい方の値で割った商を算出した。
その結果、比較例０、２〜９では、その商は、ほとんど「１．１０」前後で左右の差はほとんどない。
又、比較例１や１０では、商が「１．２８」や「１．６０」となる位置もあるものの、それらは正透過光面Ｐ内であり、カーテンの真正面に光を取り込む通常のカーテン、又は、カーテンを使用しない場合と変わりがない（つまり、意図する方向性に、光を取り込めていない）と共に、拡散透過光面Ｐ’内では、それらの商は大きくとも「１．１０」を越えないことから、意図した通りの「方向性を持たせた光の取込み」を実現できない。
しかし、実施例１、２は、左右の拡散透過光面Ｐ’間の商が全て「１．７０」以上となり、実施例３でも、基準線Ｃから左右へ５０ｃｍの位置で商が「１．７８」となることから、正透過光面Ｐ（カーテン１の真正面）以外に、意図的な照度Ｓの違いを生み出していることから、実施例１〜３は、意図した通りの「方向性を持たせた光の取込み」を実現できると言える。
特に、実施例１では、基準線Ｃから左右４０ｃｍ以上１００ｃｍまでの商が「１．７０」を越え、しかも左右へ９０ｃｍの位置における商が「２．４７」であることから、実施例１のカーテン１を使用すれば、意図して、左の拡散透過光面Ｐ’の照度Ｓ（明るさ）は確保しつつ、右の拡散透過光面Ｐ’の照度Ｓを抑える（暗くする）ことが可能となる。
更に、実施例２では、基準線Ｃから左右５０ｃｍ以上１００ｃｍまでの商が「１．７０」以上となり、しかも左右へ１００ｃｍの位置における商が「２．９９」であることから、実施例２のカーテン１を使用しても、意図して、左の拡散透過光面Ｐ’の照度Ｓ（明るさ）は確保しつつ、右の拡散透過光面Ｐ’の照度Ｓを抑える（暗くする）ことが可能となる。
尚、実施例３でも、基準線Ｃから左右へ５０ｃｍの対象位置の商が「１．７８」であることから、基準線Ｃから左右へ５０ｃｍの位置であれば、左の照度Ｓ（明るさ）は確保しつつ、右の照度Ｓを抑える（暗くする）ことが出来ると言える。
【０１１２】
最後に、表４に示すように、比較例０〜１０では、左右の拡散透過光面Ｐ’における商が「１．０５」前後で、大きくとも比較例９の「１．０９」を越えない。
しかし、実施例１〜３は、全て商が「１．１０」を越え、特に実施例１、２は商が「２．３０」や「２．１９」と非常に高いことから、拡散透過光面Ｐ’を所定広さを持つ面と捉えて、左右の照度Ｓ（明暗）に意図した差をつけることが出来ると共に、意図して明暗を付けた所定広さの中に、視聴者や画像、内装部材等を含ませることで、「視聴者側の明るさ」と「画像等の視やすさ」の両立、更なる「内装部材等の劣化抑制」なども実現できる。
【０１１３】
＜試験２＞
試験２では、上述した実施例・比較例のうち、比較例１〜６、８のカーテンに対して、可視光透過率Ｔを測定すると共に、テレビ等の画面へのカーテン映込み評価を行い、その結果を、表５、図８（ｂ）、図９にて示す。
この試験２は、２０１６年７月２１日に、滋賀県内の一般住宅における部屋の窓に、比較例８だけ、２枚重ね（比較例１と８、比較例２と８、…、比較例６と８）でカーテンを使用し、その部屋内のカーテンからテレビ画面までの距離は約２００ｃｍの位置に、写真撮影するテレビを置いた。
図８（ａ）に示すように、比較例１〜６と８のカーテン越しに太陽光線Ｈが部屋内へ進入する際の、当該カーテン表面から２５ｃｍだけ離れた位置（以下「視聴位置」と言う）において照度Ｓの値を測定し、その値を、当該カーテン外側（窓ガラス側）において測定した照度Ｓの値で割ることで、可視光透過率Ｔを算出する。
尚、試験２の当日の天候は快晴で、カーテン外側の照度Ｓの値は１００００ルクス（ｌｘ）であった。
【０１１４】
又、表５中の等級は、映込み評価（官能評価）の尺度であり、各等級に対する説明は「６級：映込みは感じられない」、「５級：映込みを感じる場合はあるが全く気にならない」、「４級：映込みを感じるが気にならない」、「３級：映込みを感じやや気になる」、「２級：映込みが気になる」、「１級：映込みが非常に気になる」である。
又、図８（ｂ）のグラフの縦軸は映込み評価の等級であり、横軸は測定した可視光透過率Ｔであって、これら等級と可視光透過率Ｔについて対数近似した曲線が示されている。
更に、図９には、各比較例を使用した際のテレビ等の画面を撮影した写真が示されている。
【０１１５】
【表５】
2018110749.tif 000007
【０１１６】
＜試験２の評価＞
表５、図８（ｂ）、図９に示すように、映込み評価と可視光透過率Ｔにおける対数近似した曲線の式は「ｙ＝−２．１７５ｌｎ（ｘ）＋５．７１５１」であり、その相関係数（相関係数の２乗）は「Ｒ2 ＝０．９９２１」であることから、映込み評価と可視光透過率Ｔの間には、非常に強い相関がある。
つまり、カーテン（特に、カーテンの一部である上述の遮光部２）における可視光透過率Ｔが低いほど、映込み評価の等級は良くなる。
この映込み評価で「３級以上」を合格、「２級以下」を不合格とすればとすれば、この２つの等級の間で、合格から不合格となる境界が存在する。
ここで、映込み評価「３級」のとき可視光透過率Ｔは「３．００％」であり、映込み評価「２級」のとき可視光透過率Ｔは「５．５０％」であることから、これら「３．００％」と「５．５０％」の間に、映込み評価が合格から不合格になる可視光透過率Ｔの境界値（上限値）が存在する。
この上限値は、「３．００％」と「５．５０％」の中間値「４．２５％」であるか、又は、より少し厳しく捉えて「４．００％」であると言える。
このように、カーテンの一部である遮光部２等の可視光透過率Ｔを、「４．２５％」以下や「４．００％」以下とすることで、この遮光部２がテレビ等の画面側に向いていたとしても、「画像等への映込み低減」を実現できる。
【０１１７】
尚、カーテンが、遮光部２以外の部分（透光部３等）を有していたとしても、通常の透光部３であってもカーテンであれば、透光部３の可視光透過率Ｔは高ければ「２２％」前後、低くとも「１３％」前後となる（表１参照）。
このとき、上述した遮光部２等の可視光透過率Ｔの上限値「４．２５％」以下や「４．００％」以下を考慮すると、透光部３の可視光透過率Ｔは、遮光部２の可視光透過率Ｔの３倍以上であれば、１つのカーテンに遮光部２と透光部３の両方を有していても、「画像等への映込み低減」を実現できるとも言える。
【０１１８】
＜試験３＞
試験３では、図１０（ａ）に示すように、上述した実施例・比較例のうち、実施例２、比較例２、７、８のカーテン及び比較例０に対して、これらのカーテン等越しに太陽光線Ｈが部屋内へ進入する際の、当該カーテン等の表面から１００ｃｍだけ離れた位置（以下「正面位置」と言う）と、部屋内（室内）におけるテレビ等の画面から距離が０ｃｍの位置（以下「画面位置」と言う）と、この画面位置から正面位置を結ぶ延長線上で且つ正面位置から８０ｃｍの位置（以下「視聴者位置」と言う）の３箇所において照度Ｓの値を測定すると共に、テレビ等の画面へのカーテン等映込みと、室内明るさ（視聴者位置における明るさ）の官能評価を行った。
その結果を、表６、図１０（ｂ）、図１１にて示す。
この試験３は、２０１６年７月２９日に、試験２と同じく滋賀県内の一般住宅における部屋の窓に各実施例・比較例のカーテン等を使用し、その部屋内のカーテン等からテレビ画面までの距離は約２００ｃｍの位置に、写真撮影するテレビを置いた。
尚、試験３の当日の天候は快晴であり、この部屋の外に白色の物置を置いていた。画面位置においては床から１００ｃｍの高さにおける照度Ｓの値を測定し、正面位置においては床の表面における照度Ｓの値を測定し、視聴者位置においては床から４５ｃｍの高さにおける照度Ｓの値を測定した。
又、実施例２におけるヒダ４の間隔Ｄは、画面位置から見て透光部３が見えないように調整をしている。
【０１１９】
表６中の官能評価結果は、映込みと室内明るさを、「○○」、「○」、「×」、「××」で示し、各評価「○」以上を合格とした。
又、図１０（ｂ）のグラフは、各測定位置における各実施例・比較例の照度Ｓの値が棒グラフで対数表示されている。
図１１には、各実施例・比較例を使用した際のテレビ等の画面を撮影した写真が示されている。
【０１２０】
【表６】
2018110749.tif 000008
【０１２１】
＜試験３の評価＞
表６、図１０（ｂ）、図１１に示すように、比較例０、２、７、８は、映込み及び室内明るさの両方が「○」以上の合格となることはない。
詳解すれば、比較例０のカーテンを使用しない場合は、室内明るさは「○○」の合格であるものの、映込みは「×」となり、比較例２は、映込みは「○○」であるものの、室内明るさは「××」となり、比較例７は、室内明るさは「○○」であるものの、映込みは「×」となり、比較例８は、室内明るさは「○」であるものの、映込みは「×」となり、映込みと室内明るさのうち何れかが必ず不合格となっている。
しかし、実施例２は、映込みは「○」であり、室内明るさも「○」となっていることから、「視聴者側の明るさ」と「画像等への映込み低減」の両立を実現できる。
【０１２２】
＜試験４＞
試験４では、図１２（ａ）に示すように、上述した実施例・比較例のうち、実施例２、比較例８、９のカーテン及び比較例０に対して、これらのカーテン等越しに太陽光線Ｈが部屋内へ進入する際の、当該カーテン等の表面の法線方向１００ｃｍだけ離れ、且つ、その法線に直交する方向に沿って部屋内（室内）におけるテレビ等の画面の位置（以下「画面位置」と言う）と、この画面位置から上述の法線に直交する方向に沿って２５０ｃｍ離れた位置（以下「視聴者位置」と言う）の２箇所において照度Ｓの値を測定し、その結果を、表７、図１２（ｂ）、図１３にて示す。
この試験４は、２０１６年９月１５日に、試験２、３と同じく滋賀県内の一般住宅における部屋の窓に各実施例・比較例のカーテン等を使用した。
又、図１２（ｂ）のグラフは、比較例０のカーテンを使用しない場合の照度Ｓの値に対する各実施例・比較例の照度Ｓの値の減衰率が棒グラフで示されている。
図１３には、各実施例・比較例を使用した際のテレビ等の画面を撮影した写真が示されている。
【０１２３】
【表７】
2018110749.tif 000009
【０１２４】
＜試験４の評価＞
表７、図１２（ｂ）、図１３に示すように、実施例２は、比較例８、９と比べて、視聴者位置における減衰率は大差がないものの、画面位置における減衰率は、比較例８、９よりも大幅に大きいことがわかる。
つまり、実施例２のカーテン１を使用することによって、室内をそれほど暗くすることなく、テレビ等の画面位置近傍を暗くすることが可能となり、試験４によっても、「視聴者側の明るさ」と「画像等への映込み低減」の両立を実現できることがわかる。
【０１２５】
＜総合評価＞
上述の試験２〜４にて言及した「画像等への映込み低減」と「視聴者側の明るさ」の評価に加えて、各実施例・比較例のカーテン越しに光源（ＬＥＤスポットライト等）を見た際の眩しさに関する評価（謂わば「光源の眩しさ低減」）、そして、これら（１）「画像等への映込み低減」と（２）「視聴者側の明るさ」と（３）「光源の眩しさ低減」を合わせた総合評価について、上述した実施例・比較例のうち、実施例１、２、比較例１〜９に対する結果を、以下の表８に示す。
尚、（１）〜（３）の評価結果は、「○○○」、「○○」、「○」、「×」、「××」、「×××」で示し、各評価「○」以上を合格とした。
又、（１）〜（３）の評価のうち最も悪い評価を、総合評価とした。
【０１２６】
【表８】
2018110749.tif 000010
【０１２７】
＜試験２〜４のまとめ＞
表８にて示したように、比較例１〜９は、（１）「画像等への映込み低減」と（２）「視聴者側の明るさ」と（３）「光源の眩しさ低減」の評価全てが同時に「○」以上の合格となることはない。
しかし、実施例１、２は、（１）〜（３）の評価全てが同時に「○」以上の合格となっていることから、「画像等への映込み低減」と「視聴者側の明るさ」と「光源の眩しさ低減」の３つを同時に実現できる。
【０１２８】
＜カーテン１の変形例＞
ここまで述べてきた意図した通りの「方向性を持たせた光の取込み」等を実現するカーテン１は、一般家庭に導入して、部屋を暗くさせ過ぎずに、テレビ・パソコン等の画面への映込みを抑制させる場合、部屋の模様替え等で、テレビやパソコンの置き場所が変わっても、同じカーテンで対応することがある。
このように対応可能なカーテン１の変形例を以下に示す。
【０１２９】
図１４に示したように、カーテン１の変形例として、当該カーテン１にヒダ４が形成されている場合、後述する折替部５やハトメ２１等を有することで、ヒダ４が屈曲する部分（山４ａや谷４ｂ、又は、山部４Ａや谷部４Ｂ）を境に、各ヒダ４の屈曲方向を反転させても良い。
又、カーテン１は、表裏を逆にして使用（表裏両用）可能な構成としても良い。
【０１３０】
＜折替部５＞
図１４に示したように、折替部５は、カーテン１は略矩形状である場合において、当該略矩形状のカーテン１における４つの端部のうち少なくとも１つの端部に、この端部を折る方向を切替可能な部分である。
従って、折替部５は、カーテン１における４つの端部と略平行な折り目５ａを備えており、この折り目５ａでカーテン１の表面１ａ側に折ったり、逆に、裏面１ｂ側に折ることで、折る方向を切り替えても良い。
【０１３１】
折替部５は、カーテン１の表面１ａ又は裏面１ｂ側へ折った場合、折替部５とその表面１ａ又は裏面１ｂとを留めるボタンや面ファスナ等の留め部材５ｂを有していても良い。
このような折替部５は、後述するハトメ２１等によってカーテン１がヒダ４の屈曲方向を反転させる等によって、同じカーテンで対応可能な場合、当該カーテン１における端部（折替部５）が手前（表面１ａ）側に突出する状態（図１４（ａ）参照）となっても、この突出した折替部５、奥（窓に使用している場合は窓側、又は、裏面１ｂ）側に折り替えることで、カーテン１の端部の突出方向を奥（窓側等）に変更することが出来（図１４）（ｂ）参照）、他の端部と突出方向を揃えることが出来ることから、カーテン１の美感を向上できる。
【０１３２】
＜ハトメ２１等＞
図１４に示したように、ハトメ２１は、カーテン１の上部に所定間隔ごとに設けられ、棒状のカーテンレールＹに通されて、カーテン１を吊り下げることとなる。
このようなハトメ２１は、カーテンレールＹに対して通す方向を逆にすることで、カーテン１のヒダ４における山４ａと谷４ｂを反転させることが可能となる。
尚、このようなハトメ２１の代わりに、回動可能なカーテンフックやカーテンランナを、カーテン１の上部に取り付けることによって、ヒダ４の山４ａと谷４ｂを反転させても良い。
【０１３３】
＜その他＞
尚、本発明は、前述した実施形態に限定されるものではない。カーテン１、保持具２０等の各構成又は全体の構造、形状、寸法などは、本発明の趣旨に沿って適宜変更することが出来る。
カーテン１は、当該１つのカーテン１におけるヒダ４の間隔Ｄや振幅Ｎを２つ以上の異なる値とすることで、遮光部２や透光部３を有しない一様なカーテン生地１０で構成されるものの、他方側の空間内照度の最大値ＳｂMAX を、最小値Ｓｂmin の１．７倍以上としたものも含む。
【０１３４】
又、カーテン１には、ヒダ４の間隔Ｄや振幅Ｎは、１つの値（一様）であるものの、カーテン生地１０が編物や織物である場合には、編物や織物の組織を変化させたり、途中で異なる組織とすることで、他方側の空間内照度の最大値ＳｂMAX が、最小値Ｓｂmin の１．７倍以上であるカーテンも含まれる。
更に、カーテン１には、１つの遮光部２と、１つの透光部３を、縫製等によって合わせたカーテンも含まれる。
カーテン１は、保持具２０を有していなくとも良い。
【０１３５】
又、カーテン１は、所定の明度（Ｌ* 値）である明面部分２２を有していたり、太陽光線等の光Ｈが入射する空間Ｋの一方側Ｋａの面における反射率Ｒが所定の値であるとしても良い。
以下に、明面部分２２と反射率Ｒについて述べる。
【０１３６】
＜明面部分２２＞
図２等に示したように、明面部分２２は、空間Ｋの一方側Ｋａとは反対側（つまり、空間Ｋの他方側Ｋｂ）に位置したカーテン１の面（表面１ａ又は室内側の面等）における、ＪＩＳ−Ｚ−８７８１−４：２０１３によるＬ* ａ* ｂ* 表色系に準じるＬ* 値（明度）が５８以下である部分である。
この明面部分２２は、カーテン１の空間Ｋの他方側Ｋｂの面（表面１ａ等）全体に設けられていても良いが、空間Ｋの他方側Ｋｂの面の一部だけ（例えば、遮光部２の空間Ｋの他方側Ｋｂの面だけ）に設けられていても良い。
このような明面部分２２によって、室内等の他方側の空間Ｋｂ内への方向性を持たせた光の取込みだけでなく、カーテン１の室内側等の面１ａの色相を問わず、「画像等の視やすさ」を確保でき、「画面等への映込み低減」を図れる。
【０１３７】
＜空間Ｋの一方側Ｋａの面の反射率Ｒ＞
カーテン１は、空間Ｋの一方側Ｋａから光Ｈが入射する面（裏面１ｂ又は窓側の面等）における反射率Ｒが６０％以上であっても良い。
このように、カーテン１の光Ｈが入射する側の面（裏面１ｂ等）の反射率Ｒを６０％以上にした場合には、空間Ｋの他方側Ｋｂ（室内側の面等）への方向性を持たせた光Ｈの取り込みだけでなく、太陽光線等の光Ｈの反射による遮熱性も向上する。
【０１３８】
この反射率Ｒは、ＪＩＳ−Ｋ−５６０２：２００８に準じる分光光度計を使用し、ＪＩＳ−Ｒ−３１０６：１９９８に準じる付表２における波長λが３００ｎｍ以上２５００ｎｍ以下の範囲に示された重価係数を用いて算出された日射反射率Ｒを意味する。
又、上述した実施例１、２と比較例１〜９における反射率Ｒを、以下の表９に示す。
尚、実施例２と比較例１〜９の反射率Ｒは、空間Ｋの一方側Ｋａの面（裏面１ｂ等）の値か、空間Ｋの他方側Ｋｂの面（表面１ａ等）の値であるかは問わない。
【０１３９】
【表９】
2018110749.tif 000011
【産業上の利用可能性】
【０１４０】
本発明のカーテンは、部屋の窓や開口部に用いるだけでなく、このカーテンによって空間を隔てられるのであれば、ドアカーテン、衝立（パーティションや間仕切り）など、空間を隔てるのであれば、何れの箇所においても利用可能である。
本発明のカーテンの保持具は、ヒダを有したカーテンであれば、そのヒダがアコーディオン状かドレープ状かを問わず、当該ヒダの間隔を任意に保持ように利用可能である。
【符号の説明】
【０１４１】
１          カーテン
２          遮光部
２’        遮光帯部
３          透光部
３’        透光帯部
４          ヒダ
４ａ        ヒダの山
４ｂ        ヒダの谷
５          折替部
２０        保持具
Ｋ          空間
Ｋａ        空間の一方側（一方側の空間）
Ｋｂ        空間の他方側（他方側の空間）
Ｈ          光
Ｓｂ        他方側の空間内照度
ＳｂMAX     他方側の空間内照度の最大値
Ｓｂmin     他方側の空間内照度の最小値
Ｔ          可視光透過率
Ｊ’        カーテンの丈方向
Ｗ’        カーテンの幅方向
Ｄ          複数のヒダの間隔
【図１】
2018110749.tif 000012
【図２】
2018110749.tif 000013
【図３】
2018110749.tif 000014
【図４】
2018110749.tif 000015
【図５】
2018110749.tif 000016
【図６】
2018110749.tif 000017
【図７】
2018110749.tif 000018
【図８】
2018110749.tif 000019
【図９】
2018110749.tif 000020
【図１０】
2018110749.tif 000021
【図１１】
2018110749.tif 000022
【図１２】
2018110749.tif 000023
【図１３】
2018110749.tif 000024
【図１４】
2018110749.tif 000025